(57)【特許請求の範囲】
【請求項１】
モバイルデバイスから電力ヘッドルームを報告する方法であって、前記方法は、
前記モバイルデバイスが同時に送信するように構成された複数の独立して電力制御されたチャネルの各々に関連づけられた送信電力を識別することであって、
前記モバイルデバイスが所与の時間期間中に第１の独立して電力制御されたチャネルで送信している場合、第１の送信電力を識別するために、前記第１の独立して電力制御されたチャネルについて前記所与の時間期間中に送信電力を決定することと、
前記モバイルデバイスが前記所与の時間期間中に第２の独立して電力制御されたチャネルで送信しない場合、第２の送信電力を識別するために、送信フォーマットを無視した送信電力を前記第２の独立して電力制御されたチャネルにアトリビュートすることであって、送信フォーマットを無視した送信電力は、チャネルが前記モバイルデバイスによって送信されていない場合に使用される送信電力の表現に対応することと
を含む、送信電力を識別することと、
前記識別された送信電力を蓄積することと、
前記蓄積された送信電力を使用して前記モバイルデバイスに利用可能な電力ヘッドルームを計算することと、
前記モバイルデバイスに利用可能な前記計算された電力ヘッドルームを備えるヘッドルーム報告を送信することと
を備える、方法。
【請求項２】
前記複数の独立して電力制御されたチャネルは、
アップリンク制御チャネルを備える第１のチャネルと、
アップリンク共有チャネルを備える第２のチャネルと
を備える、請求項１に記載の方法。
【請求項３】
前記所与の時間期間中に、前記第１のチャネルは前記モバイルデバイスによって送信されず、前記第２のチャネルは前記モバイルデバイスによって送信され、
前記所与の時間期間中に、前記第１のチャネルの前記識別された送信電力は、仮想送信電力を備え、
前記第２の送信電力の前記識別された送信電力は、実際の送信についての測定された送信電力を備える、請求項２に記載の方法。
【請求項４】
前記第１のチャネルは、物理アップリンク制御チャネル（ＰＵＣＣＨ）を備え、
前記第２のチャネルは、物理アップリンク共有チャネル（ＰＵＳＣＨ）を備え、
前記ＰＵＣＣＨおよびＰＵＳＣＨは、異なるキャリア上で同時に送信されるように構成される、請求項２に記載の方法。
【請求項５】
前記送信フォーマットを無視した送信電力を固定の所定のオフセット値として決定すること
をさらに備える、請求項１に記載の方法。
【請求項６】
前記電力ヘッドルームを計算する際にアップリンク制御チャネル送信に関連づけられた変化を無視することによって前記送信フォーマットを無視した送信電力を決定すること
をさらに備える、請求項１に記載の方法。
【請求項７】
前記複数の独立して電力制御されたチャネルの各々は、マルチキャリアシステムの異なるキャリア上で送信される、請求項１に記載の方法。
【請求項８】
前記複数の独立して電力制御されたチャネルは、単一キャリアに割り付けられる、請求項１に記載の方法。
【請求項９】
電力ヘッドルームを報告するためのデバイスであって、前記デバイスは、
モバイルデバイスが同時に送信するように構成された複数の独立して電力制御されたチャネルの各々に関連づけられた送信電力を識別するように構成された測定モジュールであって、前記送信電力を識別することは、
前記モバイルデバイスが所与の時間期間中に第１の独立して電力制御されたチャネルで送信している場合、第１の送信電力を識別するために、前記第１の独立して電力制御されたチャネルについて前記所与の時間期間中に送信電力を決定することと、
前記モバイルデバイスが前記所与の時間期間中に第２の独立して電力制御されたチャネルで送信しない場合、第２の送信電力を識別するために、送信フォーマットを無視した送信電力を前記第２の独立して電力制御されたチャネルにアトリビュートすることであって、送信フォーマットを無視した送信電力は、チャネルが前記モバイルデバイスによって送信されていない場合に使用される送信電力の表現に対応することと
を含む、測定モジュールと、
電力ヘッドルーム計算モジュールであって、
前記識別された送信電力を加算し、
前記加算された送信電力を使用して前記モバイルデバイスに利用可能な電力ヘッドルームを計算する
ように構成された電力ヘッドルーム計算モジュールと、
前記モバイルデバイスに利用可能な前記計算された電力ヘッドルームを備えるヘッドルーム報告を送信するように構成された送信機と
を備える、デバイス。
【請求項１０】
前記複数の独立して電力制御されたチャネルは、
アップリンク制御チャネルを備える第１のチャネルと、
アップリンク共有チャネルを備える第２のチャネルと
を備える、請求項９に記載のデバイス。
【請求項１１】
前記所与の時間期間中に、前記第１のチャネルは前記モバイルデバイスによって送信されず、前記第２のチャネルは前記モバイルデバイスによって送信され、
前記所与の時間期間中に、前記第１のチャネルの前記識別された送信電力は、仮想送信電力を備え、
前記第２の送信電力の前記識別された送信電力は、実際の送信についての測定された送信電力を備える、請求項１０に記載のデバイス。
【請求項１２】
前記第１のチャネルは、物理アップリンク制御チャネル（ＰＵＣＣＨ）を備え、
前記第２のチャネルは、物理アップリンク共有チャネル（ＰＵＳＣＨ）を備え、
前記ＰＵＣＣＨおよびＰＵＳＣＨは、異なるキャリア上で同時に送信されるように構成される、請求項１０に記載のデバイス。
【請求項１３】
前記測定モジュールは、前記送信フォーマットを無視した送信電力を固定の所定のオフセット値として決定するようにさらに構成される、請求項９に記載のデバイス。
【請求項１４】
前記電力ヘッドルーム計算モジュールは、前記電力ヘッドルームを計算する際にアップリンク制御チャネル送信に関連づけられた変化を無視することによって、前記送信フォーマットを無視した送信電力を決定するようにさらに構成される、請求項９に記載のデバイス。
【請求項１５】
前記複数の独立して電力制御されたチャネルの各々は、マルチキャリアシステムの異なるアップリンクキャリア上で送信される、請求項９に記載のデバイス。
【請求項１６】
前記複数の独立して電力制御されたチャネルは、単一アップリンクキャリアに割り付けられる、請求項９に記載のデバイス。
【請求項１７】
前記デバイスは、プロセッサを備える、請求項９に記載のデバイス。
【請求項１８】
前記デバイスは、前記モバイルデバイスを備える、請求項９に記載のデバイス。
【請求項１９】
前記モバイルデバイスは、ロングタームエボリューション−アドバンスドシステムのユーザ機器を備える、請求項１８に記載のデバイス。
【請求項２０】
モバイルデバイスから電力ヘッドルームを報告するためのプログラムであって、
前記モバイルデバイスが同時に送信するように構成された複数の独立して電力制御されたチャネルの各々に関連づけられた送信電力を識別する手順であって、
前記モバイルデバイスが所与の時間期間中に第１の独立して電力制御されたチャネルで送信している場合、第１の送信電力を識別するために、前記第１の独立して電力制御されたチャネルについて前記所与の時間期間中に送信電力を決定する手順と、
前記モバイルデバイスが前記所与の時間期間中に第２の独立して電力制御されたチャネルで送信しない場合、第２の送信電力を識別するために、送信フォーマットを無視した送信電力を前記第２の独立して電力制御されたチャネルにアトリビュートする手順であって、送信フォーマットを無視した送信電力は、チャネルが前記モバイルデバイスによって送信されていない場合に使用される送信電力の表現に対応する手順と
を含む、送信電力を識別する手順と、
前記識別された送信電力を蓄積する手順と、
前記蓄積された送信電力を使用して前記モバイルデバイスに利用可能な電力ヘッドルームを計算する手順と、
前記モバイルデバイスに利用可能な前記計算された電力ヘッドルームを備えるヘッドルーム報告を送信する手順と
をコンピュータに実行させるためのプログラム。
【請求項２１】
無線通信デバイスであって、
モバイルデバイスが同時に送信するように構成された複数の独立して電力制御されたチャネルの各々に関連づけられた送信電力を識別するための手段であって、
前記モバイルデバイスが所与の時間期間中に第１の独立して電力制御されたチャネルで送信している場合、第１の送信電力を識別するために、前記第１の独立して電力制御されたチャネルについて前記所与の時間期間中に送信電力を決定するための手段と、
前記モバイルデバイスが前記所与の時間期間中に第２の独立して電力制御されたチャネルで送信しない場合、第２の送信電力を識別するために、送信フォーマットを無視した送信電力を前記第２の独立して電力制御されたチャネルにアトリビュートするための手段であって、送信フォーマットを無視した送信電力は、チャネルが前記モバイルデバイスによって送信されていない場合に使用される送信電力の表現に対応する、アトリビュートするための手段と
を含む、送信電力を識別するための手段と、
前記識別された送信電力を蓄積するための手段と、
前記蓄積された送信電力を使用して前記モバイルデバイスに利用可能な電力ヘッドルームを計算するための手段と、
前記モバイルデバイスに利用可能な前記計算された電力ヘッドルームを備えるヘッドルーム報告を送信するための手段と
を備える無線通信デバイス。
【請求項２２】
前記複数の独立して電力制御されたチャネルは、
アップリンク制御チャネルを備える第１のチャネルと、
アップリンク共有チャネルを備える第２のチャネルと
を備える、請求項２１に記載の無線通信デバイス。
【請求項２３】
前記所与の時間期間中に、前記第１のチャネルは前記モバイルデバイスによって送信されず、前記第２のチャネルは前記モバイルデバイスによって送信され、
前記所与の時間期間中に、前記第１のチャネルの前記識別された送信電力は、仮想送信電力を備え、
前記第２の送信電力の前記識別された送信電力は、実際の送信についての決定された送信電力を備える、請求項２２に記載の無線通信デバイス。
【請求項２４】
前記第１のチャネルは、物理アップリンク制御チャネル（ＰＵＣＣＨ）を備え、
前記第２のチャネルは、物理アップリンク共有チャネル（ＰＵＳＣＨ）を備え、
前記ＰＵＣＣＨおよびＰＵＳＣＨは、異なるキャリア上で同時に送信されるように構成される、請求項２２に記載の無線通信デバイス。
【請求項２５】
前記送信フォーマットを無視した送信電力を固定の所定のオフセット値として決定するための手段
をさらに備える、請求項２１に記載の無線通信デバイス。
【請求項２６】
前記送信フォーマットを無視した送信電力は、前記電力ヘッドルームを計算する際にアップリンク制御チャネル送信に関連づけられた変化を無視することによって決定される、請求項２１に記載のシステム。
【請求項２７】
前記複数の独立して電力制御されたチャネルの各々は、マルチキャリアシステムの異なるキャリア上で送信されうる、請求項２１に記載の無線通信デバイス。
【請求項２８】
前記複数の独立して電力制御されたチャネルは、単一キャリアに割り付けられる、請求項２１に記載の無線通信デバイス。
【請求項２９】
モバイルデバイスから電力ヘッドルーム報告を受信する方法であって、前記方法は、
モバイルデバイスからアップリンク送信に利用可能な電力ヘッドルームを備えるヘッドルーム報告を受信することであって、前記電力ヘッドルーム報告は、前記モバイルデバイスが同時に送信するように構成された複数の独立して電力制御されたチャネルに関連づけられた蓄積された送信電力を識別し、前記蓄積された送信電力を識別することは、
前記モバイルデバイスが所与の時間期間中に第１の独立して電力制御されたチャネルで送信している場合、第１の送信電力を識別するために、前記第１の独立して電力制御されたチャネルについて前記所与の時間期間中に送信電力を決定することと、
前記モバイルデバイスが前記所与の時間期間中に第２の独立して電力制御されたチャネルで送信しない場合、第２の送信電力を識別するために、送信フォーマットを無視した送信電力を前記第２の独立して電力制御されたチャネルにアトリビュートすることであって、送信フォーマットを無視した送信電力は、チャネルが前記モバイルデバイスによって送信されていない場合に使用される送信電力の表現に対応することと
を含む、ヘッドルーム報告を受信することと、
前記電力ヘッドルーム報告から取得された情報に基づいてグループとして前記複数の独立して電力制御されたチャネルに関してアップリンク割り付けをスケジュールすることと
を備える、方法。
【請求項３０】
前記複数の独立して電力制御されたチャネルは、
アップリンク制御チャネルを備える第１のチャネルと、
アップリンク共有チャネルを備える第２のチャネルと
を備える、請求項２９に記載の方法。
【請求項３１】
前記所与の時間期間中に、前記第１のチャネルは前記モバイルデバイスによって送信されず、前記第２のチャネルは前記モバイルデバイスによって送信され、
前記所与の時間期間中に、前記第１のチャネルの前記識別された送信電力は、仮想送信電力を備え、
前記第２の送信電力の前記識別された送信電力は、前記モバイルデバイスからの実際の送信についての測定された送信電力を備える、請求項３０に記載の方法。
【請求項３２】
前記第１のチャネルは、物理アップリンク制御チャネル（ＰＵＣＣＨ）を備え、
前記第２のチャネルは、物理アップリンク共有チャネル（ＰＵＳＣＨ）を備え、
前記ＰＵＣＣＨおよびＰＵＳＣＨは、異なるキャリア上で同時に送信されるように構成される、請求項３０に記載の方法。
【請求項３３】
前記送信フォーマットを無視した送信電力は、固定の所定のオフセット値として決定される、請求項２９に記載の方法。
【請求項３４】
前記送信フォーマットを無視した送信電力は、前記電力ヘッドルームを計算する際にアップリンク制御チャネル送信に関連づけられた変化を無視することによって決定される、請求項２９に記載の方法。
【請求項３５】
前記複数の独立して電力制御されたチャネルの各々の送信のためのアップリンク割り付けをスケジュールすることは、
アップリンク制御チャネルを備える第１のチャネルについてのアップリンク割り付けをスケジュールすることと、
アップリンク共有チャネルを備える第２のチャネルについてのアップリンク割り付けをスケジュールすることと
を備える、請求項２９に記載の方法。
【請求項３６】
前記第２のチャネルについての前記アップリンク割り付けは、前記第１のチャネルがスケジュールされた割り付けを有するかどうかを明らかにするために時間にわたって変動する、請求項３５に記載の方法。
【請求項３７】
前記複数の独立して電力制御されたチャネルの各々は、マルチキャリアシステムの異なるアップリンクキャリア上で送信される、請求項２９に記載の方法。
【請求項３８】
前記複数の独立して電力制御されたチャネルは、単一アップリンクキャリアに割り付けられる、請求項２９に記載の方法。
【請求項３９】
モバイルデバイスから電力ヘッドルーム報告を受信するためのデバイスであって、前記デバイスは、
モバイルデバイスからのアップリンク送信に利用可能な電力ヘッドルームを備えるヘッドルーム報告を受信するように構成された受信機であって、前記電力ヘッドルーム報告は、前記モバイルデバイスが同時に送信するように構成された複数の独立して電力制御されたチャネルに関連づけられた蓄積された送信電力を識別し、前記蓄積された送信電力を識別することは、
前記モバイルデバイスが所与の時間期間中に第１の独立して電力制御されたチャネルで送信している場合、第１の送信電力を識別するために、前記第１の独立して電力制御されたチャネルについて前記所与の時間期間中に送信電力を決定することと、
前記モバイルデバイスが前記所与の時間期間中に第２の独立して電力制御されたチャネルで送信しない場合、第２の送信電力を識別するために、送信フォーマットを無視した送信電力を前記第２の独立して電力制御されたチャネルにアトリビュートすることであって、送信フォーマットを無視した送信電力は、チャネルが前記モバイルデバイスによって送信されていない場合に使用される送信電力の表現に対応することと
を含む、受信機と、
前記電力ヘッドルーム報告から取得された情報に基づいてグループとして前記複数の独立して電力制御されたチャネルに関してアップリンク割り付けをスケジュールするように構成された割り付けモジュールと
を備える、デバイス。
【請求項４０】
前記複数の独立して電力制御されたチャネルは、
アップリンク制御チャネルを備える第１のチャネルと、
アップリンク共有チャネルを備える第２のチャネルと
を備える、請求項３９に記載のデバイス。
【請求項４１】
前記所与の時間期間中に、前記第１のチャネルは前記モバイルデバイスによって送信されず、前記第２のチャネルは前記モバイルデバイスによって送信され、
前記所与の時間期間中に、前記第１のチャネルの前記識別された送信電力は、仮想送信電力を備え、
前記第２の送信電力の前記識別された送信電力は、前記モバイルデバイスからの実際の送信についての決定された送信電力を備える、請求項４０に記載のデバイス。
【請求項４２】
前記送信フォーマットを無視した送信電力は、前記電力ヘッドルームを計算する際にアップリンク制御チャネル送信に関連づけられた変化を無視することによって決定される、請求項３９に記載のデバイス。
【請求項４３】
前記複数の独立して電力制御されたチャネルの各々は、マルチキャリアシステムの異なるアップリンクキャリア上で送信される、または、
前記複数の独立して電力制御されたチャネルは、単一アップリンクキャリアに割り付けられる、
請求項３９に記載のデバイス。
【請求項４４】
前記デバイスは、プロセッサを備える、請求項３９に記載のデバイス。
【請求項４５】
前記デバイスは、ロングタームエボリューション−アドバンスド（ＬＴＥ／Ａ）システムのｅＮｏｄｅＢを備える、請求項３９に記載のデバイス。
【発明の詳細な説明】
【相互参照】
【０００１】
本願は、２０１０年４月５日に出願され、「APPARATUS AND METHOD FOR POWER HEADROOM REPORTING FOR PUSCH AND PUCCH」と題された米国仮特許出願第６１／３２１，０７４号の優先権を主張し、その開示は、この全体においてここに組み込まれる。
【背景】
【０００２】
無線通信システムは、音声、データ等のような様々なタイプの通信コンテンツを提供するように広く展開されている。これらのシステムは、利用可能なシステムリソース（例えば、帯域幅および送信電力）を共有することによって複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ）ロングタームエボリューション（ＬＴＥ）システム、および直交周波数分割多元接続（ＯＦＤＭＡ）システムを含む。
【０００３】
一般に、無線多元接続通信システムは、複数の無線端末のための通信を同時にサポートすることができる。各端末は、順方向リンクと逆方向リンク上の送信を介して、１つまたは複数の基地局と通信する。順方向リンク（またはダウンリンク）は、基地局から端末までの通信リンクを指し、逆方向リンク（またはアップリンク）は、端末から基地局までの通信リンクを指す。この通信リンクは、単一入力単一出力（ＳＩＳＯ）、多入力単一出力（ＭＩＳＯ）、または、多入力多出力（ＭＩＭＯ）システムを介して確立されうる。干渉を低減し、効率を改善するために、端末は、最大の電力の限度にしたがって、基地局によって電力制御されうる。
【発明の概要】
【０００４】
下記は、一般的に、電力ヘッドルーム報告(power headroom reporting)のためのシステム、方法、デバイス、およびコンピュータプログラムプロダクトに関する。適用可能性のさらなる範囲は、次の詳細な説明、特許請求の範囲、および図面から明らかとなるであろう。詳細な説明および具体的な例は、説明のためだけに与えられている、なぜならば、詳細な説明の範囲および精神内の様々な変更および修正が当業者に明らかになるためである。
【０００５】
一例では、モバイルデバイスからＰＨＲを送信するための新規な機能が説明されている。モバイルデバイスは、１つまたは複数の構成されたキャリア上で多数の独立して電力制御されたチャネル(independently power controlled channels)の各々と関連づけられた送信電力を識別しうる。アップリンク制御チャネルである１つのチャネル、およびアップリンク共有チャネルである１つまたは複数の追加チャネルがありうる。１つのチャネル（例えばアップリンク制御チャネル）の識別された送信電力は、仮想送信電力であり、他の識別された送信電力は、実際の送信についての測定された送信電力でありうる。識別された送信電力は蓄積され、モバイルデバイスに利用可能な電力ヘッドルームは、蓄積された送信電力を使用して計算されうる。モバイルデバイスは、基地局に電力ヘッドルーム報告を送信しうる。
【０００６】
一例では、モバイルデバイスから電力ヘッドルームを報告する方法は、モバイルデバイスが同時に送信するように構成される、複数の独立して電力制御されたチャネルの各々と関連づけられた送信電力を識別することと；その識別された送信電力を蓄積することと；その蓄積された送信電力を使用してモバイルデバイスに利用可能な電力ヘッドルームを計算することと；およびモバイルデバイスに利用可能な、その計算された電力ヘッドルームを備えるヘッドルーム報告を送信することと；を備えうる。
【０００７】
第１のチャネルは、アップリンク制御チャネルであり、第２のチャネルはアップリンク共有チャネルでありうる。第１のチャネルの識別された送信電力は、仮想送信電力であり、第２のチャネルの識別された送信電力は、実際の送信についての決定された送信電力でありうる。第１のチャネルは、物理アップリンク制御チャネル（ＰＵＣＣＨ）であり、第２のチャネルは、物理アップリンク共有チャネル（ＰＵＳＣＨ）であり、ＰＵＣＣＨとＰＵＳＣＨは、異なるキャリア上で同時に送信されうる。複数の独立して電力制御されたチャネルのうちの１つまたは複数の識別された送信電力は、仮想送信電力でありうる。仮想送信電力は、電力ヘッドルームを計算することにおいてアップリンク制御チャネル送信と関連づけられた変化を無視することによって決定されうる。
【０００８】
送信電力を識別するために、送信電力は、第１の送信電力を識別するために、第１の独立して電力制御されたチャネルについて第１の時間期間中に決定されうる、および仮想送信電力は、第２の送信電力を識別するために、第２の独立して電力制御されたチャネルにアトリビュートされうる(attributed)、なお、モバイルデバイスは、第１の時間期間中に第２の独立して電力制御されたチャネル上で送信しない。複数の独立して電力制御されたチャネルの各々は、マルチキャリアシステムの異なるキャリア上で送信されうる。複数の独立して電力制御されたチャネルは、単一キャリアに割り付けられうる。
【０００９】
別の例では、電力ヘッドルームを報告するためのデバイスは、モバイルデバイスが同時に送信するように構成される、複数の独立して電力制御されたチャネルの各々と関連づけられた送信電力を識別するように構成された測定モジュールと；その識別された送信電力を加算し(sum)、その加算された送信電力を使用してモバイルデバイスに利用可能な電力ヘッドルームを計算するように構成された電力ヘッドルーム計算モジュールと；モバイルデバイスに利用可能な、その計算された電力ヘッドルームを備えるヘッドルーム報告を送信するように構成された送信機と；を備えうる。
【００１０】
デバイスに関して、第１のチャネルは、アップリンク制御チャネルであり、第２のチャネルはアップリンク共有チャネルでありうる。第１のチャネルの識別された送信電力は、仮想送信電力であり、第２のチャネルの識別された送信電力は、実際の送信についての決定された送信電力でありうる。第１のチャネルは、物理アップリンク制御チャネル（ＰＵＣＣＨ）であり、第２のチャネルは、物理アップリンク共有チャネル（ＰＵＳＣＨ）であり、ＰＵＣＣＨとＰＵＳＣＨは、異なるキャリア上で同時に送信されうる。複数の独立して電力制御されたチャネルのうちの１つまたは複数の識別された送信電力は、仮想送信電力でありうる。デバイスの電力ヘッドルーム計算モジュールは、電力ヘッドルームを計算することにおいてアップリンク制御チャネル送信と関連づけられた変化を無視することによって、仮想送信電力を決定するようにさらに構成されうる。
【００１１】
複数の独立して電力制御されたチャネルの各々と関連づけられた送信電力を識別するために、デバイスの測定モジュールは、第１の送信電力を識別するために、第１の独立して電力制御されたチャネルについて第１の時間期間中に送信電力を決定するように；および第２の送信電力を識別するために、第２の独立して電力制御されたチャネルに仮想送信電力をアトリビュートする、なお、モバイルデバイスは、第１の時間期間中に第２の独立して電力制御されたチャネル上で送信しない；ように構成されうる。
【００１２】
デバイスの複数の独立して電力制御されたチャネルの各々は、マルチキャリアシステムの異なるアップリンクキャリア上で送信されうる。デバイスの複数の独立して電力制御されたチャネルは、単一アップリンクキャリアに割り付けられうる。デバイスはプロセッサでありうる。デバイスはモバイルデバイスでありうる。モバイルデバイスは、ロングタームエボリューション-アドバンスドシステムのユーザ機器でありうる。
【００１３】
別の例では、モバイルデバイスから電力ヘッドルームを報告するためのコンピュータプログラムプロダクトは、モバイルデバイスが同時に送信するように構成される、複数の独立して電力制御されたチャネルの各々と関連づけられた送信電力を識別するためのコードと、その識別された送信電力を蓄積するためのコードと、その蓄積された送信電力を使用してモバイルデバイスに利用可能な電力ヘッドルームを計算するためのコードと、モバイルデバイスに利用可能なその計算された電力ヘッドルームを備えるヘッドルーム報告を送信するためのコードと、を備えうるノントランジトリコンピュータ可読媒体を含めうる。
【００１４】
さらに別の例では、モバイルデバイスから電力ヘッドルームを報告するためのシステムであって、システムは、モバイルデバイスが同時に送信するように構成される、複数の独立して電力制御されたチャネルの各々と関連づけられた送信電力を識別するための手段と、その識別された送信電力を蓄積するための手段と、その蓄積された送信電力を使用してモバイルデバイスに利用可能な電力ヘッドルームを計算するための手段と、モバイルデバイスに利用可能な、その計算された電力ヘッドルームを備えるヘッドルーム報告を送信するための手段と、を備えうる。
【００１５】
システムに関して、第１のチャネルは、アップリンク制御チャネルであり、第２のチャネルはアップリンク共有チャネルでありうる。第１のチャネルの識別された送信電力は、仮想送信電力であり、第２のチャネルの識別された送信電力は、実際の送信についての決定された送信電力でありうる。第１のチャネルは、物理アップリンク制御チャネル（ＰＵＣＣＨ）であり、第２のチャネルは、物理アップリンク共有チャネル（ＰＵＳＣＨ）であり、ＰＵＣＣＨとＰＵＳＣＨは、異なるキャリア上で同時に送信されうる。システムの複数の独立して電力制御されたチャネルのうちの１つまたは複数の識別された送信電力は、仮想送信電力でありうる。システムの仮想送信電力は、電力ヘッドルームを計算することにおいてアップリンク制御チャネル送信と関連づけられた変化を無視することによって決定されうる。
【００１６】
第１の送信電力を識別するために、第１の独立して電力制御されたチャネルについて第１の時間期間中に送信電力を決定するための手段と；第２の送信電力を識別するために、第１の時間期間について第２の独立して電力制御されたチャネルに仮想送信電力をアトリビュートするための手段と、なお、モバイルデバイスは、第１の時間期間中に第２の独立して電力制御されたチャネル上で送信しない；がある場合がある。システムの複数の独立して電力制御されたチャネルの各々は、マルチキャリアシステムの異なるキャリア上で送信されうる。システムの複数の独立して電力制御されたチャネルは、単一キャリアに割り付けられうる。
【００１７】
別の例では、モバイルデバイスから電力ヘッドルーム報告を受信する方法は、モバイルデバイスからアップリンク送信に利用可能な電力ヘッドルームを含むヘッドルーム報告を受信することと、なお、電力ヘッドルーム報告は、モバイルデバイスが同時に送信するように構成される、複数の独立して電力制御されたチャネルに関連づけられた蓄積された送信電力を識別する；電力ヘッドルーム報告から取得された情報に基づいてグループとして複数の独立して電力制御されたチャネルに関してアップリンク割り付けをスケジュールすることと；を備える。
【００１８】
第１のチャネルは、アップリンク制御チャネルであり、第２のチャネルはアップリンク共有チャネルでありうる。第１のチャネルの識別された送信電力は、仮想送信電力であり、第２のチャネルの識別された送信電力は、実際の送信についての決定された送信電力でありうる。第１のチャネルは、物理アップリンク制御チャネル（ＰＵＣＣＨ）であり、第２のチャネルは、物理アップリンク共有チャネル（ＰＵＳＣＨ）であり、ＰＵＣＣＨとＰＵＳＣＨは、異なるキャリア上で同時に送信されうる。複数の独立して電力制御されたチャネルのうちの１つまたは複数の識別された送信電力は、仮想送信電力でありうる。仮想送信電力は、電力ヘッドルームを計算することにおいてアップリンク制御チャネル送信と関連づけられた変化を無視することによって決定されうる。複数の独立して電力制御されたチャネルのうちの１つまたは複数の識別された送信電力は、仮想送信電力でありうる。デバイスの電力ヘッドルーム計算モジュールは、電力ヘッドルームを計算することにおいてアップリンク制御チャネル送信と関連づけられた変化を無視することによって、仮想送信電力を決定するようにさらに構成されうる。
【００１９】
スケジューリングすることは、アップリンク制御チャネルを備える第１のチャネルについてのアップリンク割り付けをスケジュールすること、アップリンク共有チャネルを備える第２のチャネルについてのアップリンク割り付けをスケジュールすること、を含めうる。方法の第２のチャネルについての割り付けは、第１のチャネルがスケジュールされた割り付けを有するかどうかを明らかにするために(account for)時間ごとに変わることがある。方法の複数の独立して電力制御されたチャネルの各々は、マルチキャリアシステムの異なるアップリンクキャリア上で送信されうる。方法の複数の独立して電力制御されたチャネルは、単一アップリンクキャリアに割り付けられうる。
【００２０】
別の例では、モバイルデバイスから電力ヘッドルーム報告を受信するためのデバイスは、モバイルデバイスからのアップリンク送信に利用可能な電力ヘッドルームを備えうるヘッドルーム報告を受信するように構成された受信機と、なお、電力ヘッドルーム報告は、モバイルデバイスが同時に送信するように構成される複数の独立して電力制御されたチャネルに関連づけられた蓄積された送信電力を識別する；電力ヘッドルーム報告から取得された情報に基づいてグループとして複数の独立して電力制御されたチャネルに関してアップリンク割り付けをスケジュールするように構成された割り付けモジュールと；を備えうる。
【００２１】
第１のチャネルは、アップリンク制御チャネルであり、第２のチャネルはアップリンク共有チャネルでありうる。第１のチャネルの識別された送信電力は、仮想送信電力であり、第２のチャネルの識別された送信電力は、実際の送信についての決定された送信電力でありうる。デバイスの仮想送信電力は、電力ヘッドルームを計算することにおいてアップリンク制御チャネル送信と関連づけられた変化を無視することによって決定されうる。デバイスの複数の独立して電力制御されたチャネルの各々は、マルチキャリアシステムの異なるアップリンクキャリア上で送信されうる、または、デバイスの複数の独立して電力制御されたチャネルは、単一アップリンクキャリアに割り付けられうる。デバイスはプロセッサでありうる。デバイスは、ロングタームエボリューション−アドバンスド（ＬＴＥ／Ａ）システムのｅＮｏｄｅＢでありうる。
【００２２】
本発明の本質および利点のさらなる理解は、下記の図を参照することによって実現されうる。添付の図面において、同様なコンポーネントまたは特徴は、同様な参照ラベルを有しうる。さらに、同じタイプの様々なコンポーネントは、点線による参照ラベルと、同様なコンポーネントを区別する第２のラベルと、に付随することによって区別されうる。本明細書において第１の参照ラベルのみが使用される場合には、その記載は、第２の参照ラベルに関係なく同じ第１の参照ラベルを有する同様なコンポーネントのいずれか１つに適用される。
【図面の簡単な説明】
【００２３】
【図１】図１は、無線通信システムのブロック図である。
【図２】図２は、多入力多出力（ＭＩＭＯ）システムにおける送信機と受信機のブロック図である。
【図３】図３は、電力ヘッドルーム報告モジュールのブロック図である。
【図４Ａ】図４Ａは、電力ヘッドルーム報告デバイスの別のアーキテクチャのブロック図である。
【図４Ｂ】図４Ｂは、例示的な電力ヘッドルーム計算を図示する棒グラフである。
【図５】図５は、スケジューラのブロック図である。
【図６】図６は、モバイルデバイスからの電力ヘッドルーム計算のための方法のフローチャートである。
【図７】図７は、モバイルデバイスからのアップリンク共有および制御チャネルのための電力ヘッドルーム計算のための方法のフローチャートである。
【図８】図８は、ＬＴＥシステムにおけるアップリンク共有および制御チャネルのための電力ヘッドルーム計算のための方法のフローチャートである。
【図９】図９は、１つまたは複数のグラントをスケジュールするための方法のフローチャートである。
【詳細な説明】
【００２４】
電力ヘッドルーム報告のためのシステム、方法、デバイスおよびコンピュータプログラムプロダクトが説明されている。いくつかの例では、モバイルデバイスは、仮想送信電力関連のアップリンク制御チャネル、そして、１つまたは複数のアップリンク共有チャネルについての実際の送信電力を識別しうる。仮想送信電力は、アップリンク制御チャネルオフセットであり、アップリンク制御チャネルが送信していないときに使用されうる。その識別された送信電力は加算され、モバイルデバイスに利用可能な電力ヘッドルームは、その加算された送信電力を使用して計算されうる。モバイルデバイスは、基地局に電力ヘッドルーム報告を送信しうる。
【００２５】
この説明は、例を提供しており、本発明の範囲、適用可能性、または構成を限定するように意図されていない。むしろ、次の説明は、当業者に、本発明の実施形態を実装することを可能にする記載を提供するであろう。エレメントの配置および機能において様々な変更が行われうる。
【００２６】
したがって、さまざまな実施形態は、必要に応じてさまざまなプロシージャまたはコンポーネントを省略、代替、または追加しうる。例えば、方法は、その説明されたものとは異なる順序で実行されうる、また、様々なステップが追加、省略、結合されうる、ということは理解されるべきである。また、ある実施形態に関して説明されている態様およびエレメントは、様々な他の実施形態で組み合わせられうる。次のシステム、方法、デバイスおよびソフトウェアが、個々にまたは集約的に大きなシステムのコンポーネントでありうる、ここにおいて、他のプロシージャが先行しうる、または、そうでない場合にはそれらのアプリケーションを変更しうる、ということが理解されるべきである。
【００２７】
最初に図１に戻ると、本開示の一態様による多元接続無線通信システム１００が図示されている。基地局１０５は、複数のアンテナグループ（図示されず）を含め、各アンテナグループには複数のアンテナがありうる。アンテナの各グループおよび／またはそれらが通信するように設計されるエリアはセクタと呼ばれうる。アンテナグループは各々、基地局１０５によってカバーされるエリアのセクタにおいてモバイルデバイス１１０と通信するように設計されうる。
【００２８】
本発明の態様は任意の数の他のタイプのシステムに適用可能でありうるが、基地局１０５は、ＬＴＥシステムにおけるｅＮｏｄｅＢでありうる。モバイルデバイス１１０は、基地局１０５のアンテナグループのうちの１つと通信している。基地局と通信している複数の他のモバイルデバイス（図示されず）もまたありうる。基地局１０５は、ダウンリンク１１５にわたって情報を送信し、アップリンク１２０にわたってモバイルデバイス１１０からの情報を受信する。ダウンリンク１１５とアップリンク１１０の各々は、モバイルデバイス１１０による使用のために構成されている複数のコンポーネントキャリアを含めうる。モバイルデバイス１１０は、ＬＴＥ／Ａシステムにおけるユーザ機器（ＵＥ）でありうる。モバイルデバイス１１０は、パーソナルコンピュータ、ラップトップ、タブレット、携帯情報端末（ＰＤＡ）、シン・クライアント（thin client)、スマートフォン、セルラ電話、またはいずれの他のモバイルコンピューティングデバイスでありうる。
【００２９】
図示されるように、モバイルデバイス１１０は、基地局１０５に電力ヘッドルーム報告（ＰＨＲ）を送信しうる。この報告は、最大モバイルデバイス送信電力と計算されたモバイルデバイス送信電力との間の差異（例えば現在のグラントによる）を識別する情報を含めうる。ＰＨＲは、周期的に、または、ダウンリンクパスロスがしきい値を超えて量において変化するときに、送信されることができ、物理アップリンク制御チャネル（ＰＵＣＣＨ）、物理アップリンク共有チャネル（ＰＵＳＣＨ）または両方のチャネルに関連しうる。ＰＨＲを受信することに応じて、基地局１０５は、ＰＵＣＣＨまたはＰＵＳＣＨのいずれのアップコマンドまたはダウンコマンドを送信することができる。
【００３０】
モバイルデバイス１１０は、多数の独立して電力制御されたアップリンクチャネルの各々と関連づけられた送信電力を識別するように構成されうる。独立して電力制御されたアップリンクチャネルは、単一キャリア上の同時送信、および／または、モバイルデバイス１１０による使用のために構成された複数のアップリンクキャリア上の送信、に関連しうる。モバイルデバイス１１０は、所与の時間期間の間識別された送信電力を加算し、モバイルデバイス１１０に利用可能な電力ヘッドルームを計算するためにこれを使用する。電力ヘッドルーム報告（ＰＨＲ）は、逆方向リンク１１５上にわたって（例えば、単一プロトコルデータユニット（ＰＤＵ）で）送信されうる、そして、計算された電力ヘッドルームおよび／またはモバイルデバイス１１０に利用可能な電力ヘッドルームのインジケーションを含めうる。
【００３１】
いくつかの例では、独立して電力制御されたアップリンクチャネルは、アップリンク制御チャネルと１つまたは複数のアップリンク共有チャネルを含めうる。制御チャネルの識別された送信電力は、仮想送信電力（例えば、制御チャネルが送信されないときの送信のイベントで使用されるであろう送信電力の表示）でありうる。この仮想送信電力はオフセット値でありうる、またいくつかのシナリオでは、ＬＴＥ通信システムを用いて使用されるΔ＿ＴＦの値のような様々なチャネルおよび／または送信フォーマットと関連づけられる寄与を無視することによって決定されうる。アップリンク共有チャネルの識別された送信電力は、実際の送信についての測定された送信電力でありうる。独立して電力制御されたチャネルの各々は、マルチキャリアシステムの異なるキャリア上で同じ時間期間の間、送信されうる。しかしながら、他の例では、独立して電力制御されたチャネルは、単一キャリア上で同時に送信されうる。
【００３２】
１セットの例では、態様は、ロングタームエボリューション−アドバンスド（ＬＴＥ／Ａ）システム内で使用されうる。ＬＴＥ／Ａは、ダウンリンクで直交周波数分割多重化（ＯＦＤＭ）と、アップリンクで単一キャリア周波数分割多重化（ＳＣ−ＦＤＭＡ）を使用しうる。ＯＦＤＭとＳＣ−ＦＤＭＡは、システム帯域幅を複数の（Ｋ個の）直交サブキャリアに分割し、そしてそれらは、トーン、ビンまたは同様なものとも一般的には呼ばれる。各サブキャリアは、データと変調されうる。一般に、変調シンボルは、ＯＦＤＭを用いて周波数領域で、そして、ＳＣ−ＦＤＭＡを用いて時間領域で送信される。隣接するサブキャリア間のスペーシングは、固定されうる、また、サブキャリアの合計数（Ｋ個）は、システム帯域幅に依存しうる。例えば、Ｋは、対応するシステム帯域幅１．２５、２．５、５、１０、または２０メガヘルツ（ＭＨｚ）に対し、それぞれ、１２８、２５６、５１２、１０２４、または２０４８と等しい。システム帯域幅はまた、複数のサブ帯域に分割されうる。例えば、サブバンドは、１．０８ＭＨｚをカバーしうる、そして、対応するシステム帯域幅１．２５、２．５、５、１０、または２０ＭＨｚに対し、それぞれ、１、２、４、８、または１６サブバンドがある。
【００３３】
下記のＬＴＥ／Ａの例のセットの場合、モバイルデバイス１１０は、ＵＥ１１０と呼ばれ、基地局１０５はｅＮｏｄｅＢ１０５と呼ばれる。したがって、独立して電力制御されたアップリンクチャネルは、物理アップリンク制御チャネル（ＰＵＣＣＨ）と１つまたは複数の物理アップリンク共有チャネル（ＰＵＳＣＨ）を含めうる。いくつかの例では、ＰＵＣＣＨとＰＵＳＣＨは、同時に送信されうる。ＵＥ１１０は、同時ＰＵＣＣＨおよびＰＵＳＣＨ送信（複数のキャリア上で別のＰＵＣＣＨおよびＰＵＳＣＨ送信）を行なうように構成されうる。モバイルデバイス１１０は、複数のアップリンクキャリア上で送信されたＰＵＣＣＨを用いるマルチキャリアオペレーションのために構成されうる。
【００３４】
ＵＥ１１０は、並列して送信される複数の独立して電力制御されたチャネルのためにＰＨＲ（例えば、ＬＴＥ／Ａシステムにおいて同時にＰＵＣＣＨとＰＵＳＣＨを送信する、または、ＵＥ１１０による使用のために構成される複数のキャリアに対応する複数のＰＵＳＣＨ上で送信する、機能）を生成しうる。上述されるように、複数の独立して電力制御されたチャネルは、複数のコンポーネントキャリアに対応するチャネルを含めうる。しかしながら、他の例では、複数の独立して電力制御されたチャネルは、所与の時間期間中にＰＵＣＣＨおよびＰＵＳＣＨの両方をＵＥ１１０が送信するための単一キャリア上で送信されうる。
【００３５】
単一のＰＨＲは、ＵＥ１１０によって使用されるキャリアのセットについてのＰＵＣＣＨおよびＰＵＳＣＨの両方についての情報を搬送しうる。電力ヘッドルーム値は、ＰＵＣＣＨ寄与とＰＵＳＣＨ寄与を含めうる。ＰＨＲにおける電力ヘッドルーム値は、単一の６ビットＰＤＵを含めうる、報告範囲は−２３ｄＢから４０ｄＢ（および１ｄＢのステップ）にわたる。一例では、ＰＵＣＣＨは非アクティブであり、ＰＵＣＣＨ寄与は、（例えば、異なる送信フォーマットに起因する変化を無視するオフセットまたは標準化オフセットのような）仮想送信電力を伴うＰＨＲでシグナリングされうる。一例では、これらの寄与は、ＰＵＣＣＨが非アクティブであるときＰＵＳＣＨとＰＵＣＣＨとの間の標準化された比としてシグナリングされうる。
【００３６】
ＵＥ１１０は、ｅＮｏｄｅＢ１０５によってトリガされるとき、または周期的に、ｅＮｏｄｅＢ１０５にＰＨＲを送信しうる。ＰＨＲは、対応するＰＵＣＣＨ送信がないときに、同時にＰＵＳＣＨ送信について生成されうる。その場合には、ＰＵＣＣＨ寄与に影響を与えることができるであろういくつかのＰＵＣＣＨフォーマットがあるにも関わらず、差異は、仮想ＰＵＣＣＨ送信のための特定フォーマットを想定することによって無視されうる。例えば、単一ＭＡＣ  ＰＤＵ、およびＰＵＣＣＨとＰＵＳＣＨとの間の標準化された比、または、ＰＵＣＣＨのための標準化または固定オフセットの他のなんらかの形式がある場合がある。このフォーマットは、ＰＵＣＣＨ送信がされないときに、Δ＿ＴＦ＝０を設定することによって実装されうる（ＰＵＣＣＨを送信するための異なるオプションが無視され、代わりに、固定オフセットがＰＨＲの受信時にｅＮｏｄｅＢによって想定されうる、ということを意味する）。したがって、仮想送信電力は、電力ヘッドルームを計算することにおいてアップリンク制御チャネル送信と関連づけられた変化を無視することによって決定されうる。さらに、仮想送信の概念は、マルチキャリアコンテキストにおいて仮想ＰＵＳＣＨ送信に拡張されうる。ＰＨＲはＰＵＳＣＨまたはＰＵＣＣＨ送信がないときに生成され、この場合、仮想送信電力は、ＰＵＳＣＨとＰＵＣＣＨの両方に使用されうる。いくつかの例では、仮想送信を使用することにより、ＵＥ１１０は、ＰＵＣＣＨが送信されないときに送信されるＰＨＲビットの数を減らしうる。しかしながら、比またはオフセットに基づいて、ｅＮｏｄｅＢ１０５は、スケジューリングのときに、ＰＵＣＣＨ寄与を推測しうる。
【００３７】
したがって、単一ＰＨＲは、ｅＮｏｄｅＢ１０５に、ＰＵＣＣＨとＰＵＳＣＨの両方に関する情報を提供しうる。ｅＮｏｄｅＢ１０５は、ＰＨＲをＰＵＳＣＨについての情報とＰＵＣＣＨについての情報とに分解しうる。ｅＮｏｄｅＢ１０５は、今後のスケジューリング決定に影響を与えるためにこの情報を使用しうる。例えば、ｅＮｏｄｅＢ１０５は、ＡＣＫ／ＮＡＫは特定のサブフレーム（例えば、ｉ＋４）において予期されるということを知ることがある。サブフレーム（ｉ）について報告された電力ヘッドルーム、およびＵＥ１１０がＡＣＫ／ＮＡＫについてより多くの電力を割り付ける必要があるという情報(knowledge)を与えられると、ｅＮｏｄｅＢ１０５は、サブフレーム（ｉ＋４）についてのそのアップリンクグラントを変更しうる。例えば、ｅＮｏｄｅＢ１０５は、サブフレーム（ｉ＋４）におけるアップリンク送信のために使用する変調および符号化スキーム（ＭＣＳ）を変更しうる。
【００３８】
一態様では、あるチャネル（例えば、ＰＵＳＣＨ）の送信電力は、第１の時間期間の間モニタされうる。送信電力は、仮想送信電力に関連づけられたチャネルが第１の時間期間中の送信に実質的に使用されないときでさえも、第２の送信電力（仮想送信電力）を識別するために、他のチャネル（例えばＰＵＣＣＨ）にアトリビュートされうる。ＰＨＲは、実際のＰＵＳＣＨ送信と関連づけられた送信電力を明らかにする電力ヘッドルームを含めうる単一のＰＤＵでありうる、また、（関連の時間期間についてのＰＵＣＣＨ送信がなかったとしても）ＰＵＣＣＨについての送信電力を推測する。
【００３９】
ｅＮｏｄｅＢ１０５は、ＵＥ１１０からのアップリンク送信についてのＰＨＲを受信し、ＰＨＲからの情報に基づいて独立して電力制御されたチャネルの各々についてのアップリンク割り付けを提供しうる。仮想送信に関連づけられたチャネルについてのアップリンク割り付けは、仮想送信電力に関連づけられたチャネルがスケジュールされた送信を有するかどうかを明らかにするために時間にわたって変化しうる。
【００４０】
図２は、ｅＮｏｄｅＢ１０５−ａとＵＥ１１０−ａとを含むシステム２００のブロック図である。このシステム２００は、図１のシステム１００でありうる。ｅＮｏｄｅＢ１０５−ａは、アンテナ２３４−ａ〜２３４−ｘを備え、ＵＥ１１０−ａは、アンテナ２５２−ａ〜２５２−ｎを備えうる。ｅＮｏｄｅＢ１０５−ａでは、送信プロセッサ２２０は、データソースからデータを、そして、プロセッサ２４０、メモリ２４２、および／または割り付けモジュール２４４から制御情報を受信しうる。制御情報は、ＰＵＣＣＨおよびＰＵＳＣＨのための電力割り付けを伴うグラントでありうる、特定のＵＥ１１０−ａについてのアップリンクキャリア上の送信をスケジュールする。制御情報はまた、物理制御フォーマットインジケータチャネル（ＰＣＦＩＣＨ）、物理ＨＡＲＱインジケータチャネル（ＰＨＩＣＨ）、物理ダウンリンク制御チャネル（ＰＤＣＣＨ）、物理ダウンリンク共有チャネル（ＰＤＳＣＨ）等のためのものでもありうる。
【００４１】
送信プロセッサ２２０は、データおよび制御情報を処理して（例えば符号化し、シンボルマッピングして）、データシンボルと制御シンボルをそれぞれ取得しうる。送信プロセッサ２２０はまた、基準シンボルとセル特有基準信号を生成しうる。送信（ＴＸ）多入力多出力（ＭＩＭＯ）プロセッサ２３０は、適用可能である場合(if applicable)、データシンボル、制御シンボル、および／または基準シンボルに対して空間処理（例えばプレコーディング）を実行し、送信変調器２３２−ａ〜２３２−ｘに出力シンボルストリームを提供しうる。各変調器２３２はそれぞれの出力シンボルストリーム（例えばＯＦＤＭ等用）を処理して、出力サンプルストリームを取得する。各変調器２３２はさらに、出力サンプルストリームを処理して（例えばアナログ変換し、増幅し、フィルタし、アップコンバートして）、ダウンリンク信号を取得しうる。変調器２３２−ａ〜２３２−ｘからのダウンリンク信号は、それぞれ、アンテナ２３４−ａ〜２３４−ｘを介して送信されうる。
【００４２】
ＵＥ１１０−ａでは、ＵＥアンテナ２５２−ａ〜２５２−ｎは、ｅＮｏｄｅＢ１０５−ａからダウンリンク信号を受信し、それぞれ、復調器２５４−ａ〜２５４−ｎに、受信信号を提供しうる。各復調器２５４は、入力サンプルを取得するために、それぞれ受信された信号を調整しうる（例えば、フィルタし、増幅し、ダウンコンバートし、デジタル化する）。各復調器２５４は、入力サンプル（例えば、ＯＦＤＭ等用）をさらに処理して、受信シンボルを取得する。ＭＩＭＯ検出器２５６は、すべての復調器２５４−ａ〜２５４−ｎからの受信シンボルを取得し、適用可能である場合には、受信シンボルに対してＭＩＭＯ検出を実行し、検出シンボルを提供する。受信プロセッサ２５８は、検出されたシンボルを処理し（例えば、復調し、デインタリーブし、および復号し）、データ出力にＵＥ１１０−aについての復号されたデータを提供して、プロセッサ２８０、メモリ２８２、またはＰＨＲモジュール２８４に復号された制御情報（例えば、アップリンクでＰＵＳＣＨおよびＰＵＣＣＨ送信に使用されるべきタイミングおよびキャリアを識別するための処理割り付け情報）を提供しうる。
【００４３】
アップリンクで、ＵＥ１１０−ａにて、送信プロセッサ２６４は、データソースからデータ（例えば、ＰＵＳＣＨ用）を受信し処理し、そしてＰＨＲモジュール２８４とプロセッサ２８０から制御情報（例えば、ＰＵＣＣＨ用）を受信し処理しうる。送信プロセッサ２６４はまた、基準信号のための基準シンボルを生成しうる。送信プロセッサ２６４からのシンボルは、適用可能である場合には、ＴＸ ＭＩＭＯプロセッサ２６６によってプレコードされ、復調器２５４−a〜２５４−ｎ（例、ＳＣ−ＦＤＭＡ等用）によってさらに処理され、ｅＮｏｄｅＢ１０５−ａに送信されうる。ｅＮｏｄｅＢ１０５−ａでは、ＵＥ１１０−ａからのアップリンク信号は、適用可能である場合には、アンテナ２３４によって受信され、復調器２３２によって処理され、ＭＩＭＯ検出器２３６によって検出され、そして、ＵＥ１１０−ａによって送信された制御情報と復号データを取得するために受信プロセッサ２３８によってさらに処理される。プロセッサ２３８は、データ出力に復号データを提供し、プロセッサ２４０および／または割り付けモジュール２４４に、復号された制御情報を提供する。
【００４４】
ＵＥ１１０−ａのＰＨＲモジュール２８４は、アップリンク制御チャネル（例えばＰＵＣＣＨ）と関連づけられた仮想送信電力と、１つまたは複数のアップリンク共有チャネル（例えばＰＵＳＣＨ）のための実際の送信電力と、を識別しうる。仮想送信電力は、アップリンク制御チャネルオフセットであり、アップリンク制御チャネルが送信していない場合に使用されうる。識別された送信電力（仮想送信電力を含む）は共に加算され、モバイルデバイスに利用可能な電力ヘッドルームは、この情報を使用して計算されうる。ＵＥ１１０−ａは、ｅＮｏｄｅＢ１０５−ａに、制御情報としてＰＨＲを送信しうる。
【００４５】
複数のコンポーネントキャリア上の同時送信およびこれらのコンポーネントキャリア上の独立電力制御を明らかにすることは、電力ヘッドルーム報告のための多くの例において望ましいことがある。本開示は、ＰＵＣＣＨ送信が行なわれないときに時間期間についてＰＵＣＣＨを明らかにするために仮想送信電力の使用および電力ヘッドルーム報告に関する課題に取り組む。
【００４６】
別個の電力ヘッドルーム報告は、ＰＵＳＣＨおよびＰＵＣＣＨ上の電力制御動作が独立して実行されることができるので、多くの例において価値のあるものである。しかしながら、様々な報告フォーマットは、オーバーヘッドを減らすために使用されうる；例えば、必ずしも別個のＰＵＳＣＨおよびＰＵＣＣＨ報告を含む必要はない（ＰＵＣＣＨ電力ヘッドルームは、ＰＵＳＣＨに関連する固定オフセットを使用して計算される）。いくつかのＰＵＣＣＨフォーマットが定義されたとしても、それらのうちの１つに結合された単一のＰＤＵは、例えばゼロまたは他の何らかの他の固定値にＬＴＥシステムで使用されるΔ＿ＴＦ値のようなフォーマット特有のオフセットを設定することによって使用されうる（例えば、時間期間中にＰＵＣＣＨ送信がないとき）。仮想送信電力または他の固定電力オフセットは、ラジオリソース制御（RRC）シグナリングによって構成され使用されうる。単一のＭＡＣ ＰＤＵが、オーバーヘッドを減らす仮想ＰＵＣＣＨ送信電力または固定ＰＵＣＣＨ／ＰＵＳＣＨの電力比を提供するある環境での使用について定義されうる（各々につき別個のＰＨＲとは対照的に、または、ＰＵＳＣＨのみのＰＨＲ(as opposed to a separate PHR for each, or a PUSCH only PHR)）。
【００４７】
図３に戻ると、簡略ブロック図は、ＰＨＲモジュール３００を図示する。ＰＨＲモジュール３００は、測定モジュール３０５、電力ヘッドルーム計算モジュール３１０、および送信機３１５を含む。ＰＨＲモジュール３００は、図２のＰＨＲモジュール２８４でありうる。図１または図２のモバイルデバイス１１０に組み込まれうる。
【００４８】
ＰＨＲモジュール３００のコンポーネントは、ハードウェアにおいて適用可能な機能のいくつかまたはすべてを実行するように適合された１つまたは複数の特定用途集積回路（ＡＳＩＣ）を用いて、個々にまたは集約的に、実装されうる。あるいは、機能は、１つまたは複数の集積回路上で１つまたは複数の他の処理ユニット（またはコア）によって実行されうる。他の実施形態では、集積回路の他のタイプ（例えば、構造化／プラットフォームＡＳＩＣ、フィールドプログラマブルゲートアレイ（ＦＰＧＡ）、および他のセミカスタムＩＣ）が使用されうる、そしてそれは、当技術分野で知られているいずれの方法でプログラムされうる。各ユニットの機能はまた、１つまたは複数の汎用または特定用途のプロセッサによって実行されるようにフォーマットされた、メモリにおいて具現化された命令を用いて、全体的にまたは部分的に、実装されうる。
【００４９】
測定モジュール３０５は、モバイルデバイスの多数の独立して電力制御されたチャネルの各々と関連づけられた送信電力を識別するように構成されうる。例えば、測定モジュール３０５は、電力増幅器の利得または各独立して電力制御されたチャネルについての送信電力の他のインジケーション、を参照して送信電力を識別しうる。一態様では、１つのチャネルは、アップリンク制御チャネルであり、また、１つまたは複数の追加チャネルは、アップリンク共有チャネルである。独立して電力制御されたチャネルは、単一キャリアまたは複数のキャリアに関連しうる。１つのチャネル（例えばアップリンク制御チャネル）の識別された送信電力は、仮想送信電力であり、他の識別された送信電力は、実際の送信についての測定された送信電力でありうる。
【００５０】
電力ヘッドルーム計算モジュール３１０は識別された送信電力（仮想送信電力を含む）を蓄積し、蓄積された送信電力を使用してモバイルデバイスに利用可能な電力ヘッドルームを計算するように構成されうる。送信機３１５は、モバイルデバイスに利用可能な計算された電力ヘッドルームを含むヘッドルーム報告を送信するように構成されうる。
【００５１】
図４Ａは、ＰＨＲデバイス４００のための代替アーキテクチャのブロック図である。ＰＨＲデバイス４００は、受信機４０５、測定モジュール３０５−ａ、電力ヘッドルーム計算モジュール３１０−ａ、および送信機３１５を含む。測定モジュール３０５−ａは、ＰＵＳＣＨ識別サブモジュール４１０およびＰＵＣＣＨ識別サブモジュール４１５を含む。電力ヘッドルーム計算モジュール３１０−ａは、蓄積器サブモジュール４２０、電力ヘッドルーム（ＰＨ）計算器サブモジュール４２５、および仮想アカウンティングサブモジュール４３０を含む。ＰＨＲデバイス４００は、図３のＰＨＲモジュール３００、または、図２のＰＨＲモジュール２８４の例でありうる。ＰＨＲデバイス４００は、図１または図２のモバイルデバイス１１０でありうる、または、そのコンポーネントでありうる。説明のために、ＰＨＲデバイスはＬＴＥ／Ａを参照して説明され、ここに説明される原則は、多数のシステムに適用されうるということに留意されたい。
【００５２】
受信機４０５は、１つまたは複数のキャリア上でＰＵＳＣＨおよびＰＵＣＣＨについての様々なスケジューリング情報および電力制御データを受信し、測定モジュール３０５−ａおよび／または電力ヘッドルーム計算モジュール３１０−ａにこのデータを転送するように構成されうる。測定モジュール３０５−aで、ＰＵＳＣＨ識別サブモジュール４１０は、時間期間中にＰＵＳＣＨ送信と関連づけられたキャリアと送信電力を決定しうる。ＰＵＣＣＨ識別サブモジュール４１５は、同じ時間期間中にＰＵＣＣＨ送信と関連づけられた送信電力およびキャリアを測定および／または識別しうる。
【００５３】
測定値および／または識別情報は、電力ヘッドルーム計算モジュール３１０−ａに転送されうる。時間期間中にＰＵＣＣＨ送信がないと仮定する。仮想アカウンティングサブモジュール４３０は、仮想送信電力をＰＵＣＣＨと関連づけることができる。したがって、時間期間中にＰＵＣＣＨ送信がないとき、ＰＵＣＣＨを明らかにするために使用される標準電力オフセットがありうる。蓄積器サブモジュール４２０は、時間期間中、ＰＵＳＣＨ送信の各々（例えば、アップリンクＰＵＳＣＨキャリアの各々）について、実際の送信電力に仮想送信電力を追加しうる。電力ヘッドルーム計算器サブモジュール４２５は、モバイルデバイスに利用可能な電力ヘッドルームを決定するために蓄積器からの計算を使用しうる（例えば、モバイルデバイスにおける最大送信電力と推定された送信電力（仮想送信電力を含む）とを比較することによって）。電力ヘッドルーム計算器サブモジュール４２５は、利用可能なヘッドルームを識別するＰＨＲを一緒に合わせうる。送信機３１５は、基地局にＰＨＲを送信しうる（例えば、図２のｅＮｏｄｅＢ１０５−ａ）。
【００５４】
一時的に図４Ｂに戻ると、所与の時間期間の間、ＵＥ（例えば、図２のＵＥ１１０−ａ）でＰＨＲに含まれうる情報を示している棒グラフ４５０が図示されている。ＵＥと関連づけられた最大送信電力４５５があると仮定する。キャリア１上のＰＵＳＣＨ送信に使用される送信電力（４７０）とキャリア２上のＰＵＳＣＨ送信に使用される送信電力（４７５）は、ＵＥからの実際の送信電力４６５を図示するために使用されるが、任意の数のアップリンクキャリア上で任意の数の独立して電力制御されたチャネルを含むことができる。またＰＵＣＣＨ上で時間期間中に送信がないと想定する。その場合には、仮想送信電力４８０は、ＰＵＣＣＨと関連づけられ、電力ヘッドルーム４８５を計算する目的で推定される送信電力４６０を提供するために使用されうる。
【００５５】
次に図５に戻ると、ブロック図は、割り付けサブシステム５００を図示する。この割り付けサブシステム５００は、図２の割り付けモジュール２４４でありうる、または、図１または２の基地局に組み込まれうる。割り付けサブシステム５００は、受信機５０５、割り付けサブモジュール５１０、および送信機５１５を含む。割り付けサブモジュール５１０は、ＰＵＣＣＨとＰＵＳＣＨ上でリソースを割り付けうる。ＰＵＣＣＨリソースは、半静的に割り付けられうる。一例として、モバイルデバイスは、ＰＵＣＣＨ上で報告している周期的ＣＱＩ（チャネル品質情報）についての高層メッセージによって構成されうる。割り付けサブモジュール５１０はまた、ＰＵＳＣＨリソースを動的に割り付けうる。
【００５６】
割り付けサブモジュール５１０の決定は、電力ヘッドルーム報告から取得された情報によって影響を受けることがある。一態様では、受信機５０５は、モバイルデバイスからのアップリンク送信に利用可能な電力ヘッドルームを識別する電力ヘッドルーム報告（ＰＨＲ）を受信しうる。ＰＨＲは、多数の独立して電力制御されたチャネルの各々と関連づけられた蓄積された送信電力を識別しうる。送信電力の１つまたは複数は、仮想送信電力でありうる。これは、図１または２におけるモバイルデバイス１１０から基地局１０５へと送信されたＰＨＲ、図３のＰＨＲモジュール３００または図４のＰＨＲデバイス４００によって生成されたＰＨＲでありうる。
【００５７】
割り付けサブモジュール５１０は、ＰＨＲ（および場合によっては追加情報）を使用してＰＵＣＣＨと関連づけられた送信電力（または仮想送信電力）を識別しうる、また、利用可能な電力ヘッドルームを評価しうる。割り付けサブモジュール５１０は、ＰＨＲ（および場合によっては追加情報）を使用して（多数のチャネルの各々の上の）ＰＵＳＣＨと関連づけられた送信電力を同様に識別しうる、また、利用可能な電力ヘッドルームを評価しうる。ＰＨＲは、いくつかの例では、単一のＭＡＣＰＤＵでありうる。
【００５８】
割り付けサブモジュール５１０は、ＰＨＲからの情報に基づいてＰＵＣＣＨに使用されるべきグラントおよびキャリアを識別し、ＰＨＲから取得された情報を考慮して（例えばＰＵＣＣＨおよび各ＰＵＳＣＨのための）独立して電力制御されたチャネルの各々のアップリンク割り付けを決定しうる。送信機５１５は、図１または２のモバイルデバイス１１０、図３のＰＨＲモジュール３００または図４のＰＨＲデバイス４００に、このスケジュールされた割り付けを転送しうる。新規ＰＨＲが受信されると、割り付けサブモジュール５１０は、グラントを修正し更新しうる。
【００５９】
図６は、モバイルデバイスからの電力ヘッドルーム計算の方法６００のフローチャートである。方法は、図１または２のモバイルデバイス１１０、図２のＰＨＲモジュール２８４、図３のＰＨＲモジュール３００、図４のＰＨＲデバイス４００によって、全体的にまたは部分的に、実行されうる。
【００６０】
ブロック６０５では、多数の独立して電力制御されたチャネルの各々と関連づけられた送信電力が識別される。独立して電力制御されたチャネルは、モバイルデバイスによる使用のために構成される１つまたは複数のアップリンクキャリアと関連づけられうる。モバイルデバイスは、独立して電力制御されたチャネルのうち１つまたは複数の上で同時送信するように構成されうる。ブロック６１０で、識別された送信電力が蓄積される。ブロック６１５では、モバイルデバイスに利用可能な電力ヘッドルームが蓄積された送信電力を使用して計算される。いくつかの態様では、ＰＨＲ値は、参照電力に関連するオフセットとして表されうる、また、特定のトランスポートフォーマットに依存する寄与を含めうる。ここで説明されるように、仮想送信電力は、独立して電力制御されたチャネルの１つを表すために使用され、トランスポートフォーマット寄与を無視することによって決定されうる。ブロック６２０において、利用可能な電力ヘッドルーム計算を含んでいるヘッドルーム報告が送信される。
【００６１】
図７は、アップリンク共有および制御チャネルのためのモバイルデバイスからの電力ヘッドルーム計算の方法７００のフローチャートである。この方法７００は、図６の方法６００の例でありうる。方法７００は、図１または２のモバイルデバイス１１０、図２のＰＨＲモジュール２８４、図３のＰＨＲモジュール３００、図４のＰＨＲデバイス４００によって、全体的にまたは部分的に、実行されうる。
【００６２】
ブロック７０５では、１つまたは複数のキャリアの１つまたは複数のアップリンク共有チャネルと関連づけられた送信電力が識別される。ブロック７１０では、アップリンク制御チャネルと関連づけられた仮想送信電力が識別される。ブロック７１５で、識別された送信電力が蓄積される。ブロック７２０では、モバイルデバイスに利用可能な電力ヘッドルームが蓄積された送信電力を使用して計算される。ブロック７２５では、ヘッドルーム報告は、モバイルデバイスに利用可能な、計算された電力ヘッドルームを含んで送信される。
【００６３】
図８は、ＬＴＥシステムにおける１つまたは複数のキャリア上でアップリンク共有および制御チャネルのためのモバイルデバイスからの電力ヘッドルーム計算の方法８００のフローチャートである。この方法８００は、図６の方法６００の例でありうる。方法８００は、図１または２のモバイルデバイス１１０、図２のＰＨＲモジュール２８４、図３のＰＨＲモジュール３００、図４のＰＨＲデバイス４００によって、全体的にまたは部分的に、実行されうる。
【００６４】
ブロック８０５で、ＬＴＥ／Ａシステムにおける１つまたは複数のキャリア上で１つまたは複数の物理アップリンク共有チャネルと関連づけられた測定された送信電力が識別され、ここには、時間期間中に共有されたチャネル送信がある。例えば、ＬＴＥ／Ａシステムは、ＵＥが複数のＰＵＳＣＨ上でグラントを受信する、および／または、ＵＥがＰＵＳＣＨおよびＰＵＣＣＨ上で同時に送信することが許可される、マルチキャリアオペレーションをサポートしうる。ブロック８１０では、ＬＴＥ／Ａシステムにおける物理アップリンク制御チャネルと関連づけられた仮想送信電力が識別され、ここにおいて、時間期間中に制御チャネル上で送信されるデータは実質的にない。ブロック８１５では、識別された送信電力が蓄積される（仮想送信電力を含む）。ブロック８２０では、ＵＥに利用可能な電力ヘッドルームが蓄積された送信電力を使用して計算される。ブロック８２５では、ヘッドルーム報告は、モバイルデバイスに利用可能な、計算された電力ヘッドルームを含んで送信される。
【００６５】
図９は、１つまたは複数のアップリンクグラントをスケジュールするための方法９００のフローチャートである。方法９００は、図１または図２の基地局、図２の割り付けモジュール２４４、または図５の割り付けサブシステム５００によって、全体的にまたは部分的に、実行されうる。
【００６６】
ブロック９０５では、アップリンク送信に利用可能な電力ヘッドルームを識別するヘッドルーム報告は、モバイルデバイスから受信される。電力ヘッドルーム報告は、多数の独立して電力制御されたチャネルの各々と関連づけられた蓄積された送信電力を識別しうる。送信電力の１つまたは複数は、仮想送信電力でありうる。ブロック９１０では、１つまたは複数のアップリンク割り付けがスケジュールされる、または、そうでない場合には、電力ヘッドルーム報告から取得された情報に基づいてグループとして独立して電力制御されたチャネルに関して送信について割り付けられる。
【００６７】
ここで説明された技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワーク等のような様々な無線通信ネットワークのために使用されうる。用語「ネットワーク」および「システム」は、しばしば互換性をもって使用される。ＣＤＭＡネットワークは、ユニバーサル地上無線アクセス（ＵＴＲＡ）、ｃｄｍａ２０００等のような無線技術を実装しうる。ＵＴＲＡは、広域ＣＤＭＡ（Ｗ−ＣＤＭＡ）を含み、低チップレート（ＬＣＲ）を含む。ｃｄｍａ２０００は、ＩＳ−２０００，ＩＳ−９５，およびＩＳ−８５６規格をカバーする。ＴＤＭＡネットワークは、モバイル通信のためのグローバルシステム（ＧＳＭ（登録商標））のようなラジオ技術を実装しうる。ＯＦＤＭＡネットワークは、発展型ＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭ等のようなラジオ技術を実装しうる。ＵＴＲＡ、Ｅ−ＵＴＲＡ、およびＧＳＭは、ユニバーサルモバイルテレコミュニケーションシステム（ＵＭＴＳ）の一部である。ロングタームエボリューション（ＬＴＥ）は、Ｅ−ＵＴＲＡを使用するＵＭＴＳのアップカミングリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）と名づけられた団体の文書の中で説明されている。ｃｄｍａ２０００は、「第３世代パートナーシッププロジェクト２」（３ＧＰＰ２）と名づけられた団体の文書の中で説明されている。これらの様々なラジオ技術および規格は当技術分野で知られている。明確にするため、本技法のある態様はＬＴＥについて後述されており、ＬＴＥ用語は、下記説明の多くに使用されている。
【００６８】
開示されているプロセスにおけるステップの特定の順序またはヒエラルキは、例にすぎないということが理解されるべきである。設計の優先度に基づいて、プロセスにおけるステップの特定の順序またはヒエラルキは本開示の範囲内にありながら再配置されうるということが理解される。方法カテゴリの請求項は、順に様々なステップの構成要素を示しているが、開示された順に限定されるように意図されていない。
【００６９】
添付の図面に関連して上述された詳細な説明は、例を説明しており、実装されうる、または、請求項の範囲内にある、唯一の実施形態を表していない。詳細な説明は、説明された技法の理解を提供する目的で、具体的な詳細を含む。しかしながら、これらの技法は、これらの具体的な詳細なしに実行されうる。いくつかの例では、既知の構造およびデバイスは、説明された実施形態のコンセプトを不明瞭にしないようにブロック図で示される。
【００７０】
情報と信号は、様々な異なる技術および技法のいずれかを使用して表されうる。例えば、上記の説明の全体にわたって参照されうる、データ、命令、コマンド、情報、信号、ビット、シンボル、およびチップは、電圧、電流、電磁波、磁場あるいは磁粒子、光場あるいは光学粒子、あるいはそれらのいずれの組み合わせ、によって表わされうる。
【００７１】
さらに、実施形態は、ハードウェア、ソフトウェア、ファームウェア、ミドルウェア、マイクロコード、ハードウェア記述言語、またはそれらのいずれの組み合わせによって実装されうる。ソフトウェア、ファームウェア、ミドルウェアまたはマイクロコードで実装される場合、必要なタスクを実行するためのプログラムコードまたはコードセグメントは、記憶媒体のようなコンピュータ可読媒体において格納されうる。プロセッサは、必要なタスクを実行しうる。ここでの開示に関連して説明された様々な説明のためのブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいは他のプログラマブル論理回路、ディスクリートゲートあるいはトランジスタロジック、ディスクリートハードウェアコンポーネント、あるいは、ここに説明された機能を実行するように設計されたそれらのいずれの組み合わせ、で実装または実行されうる。汎用プロセッサは、マイクロプロセッサでありうるが、代わりに、プロセッサは、任意の従来のプロセッサ、コントローラ、マイクロコントローラ、またはステートマシンでありうる。プロセッサはまた、コンピューティングデバイスの組み合わせ、例えば、ＤＳＰとマイクロプロセッサとの組み合わせ、複数のマイクロプロセッサ、ＤＳＰコアと併用しての１つまたは複数のマイクロプロセッサ、あるいはいずれの他のそのような構成のもの、として実装されうる。
【００７２】
ここにおいて説明される機能は、ハードウェア、プロセッサによって実行されるソフトウェア、ファームウェア、またはそれらのいずれの組み合わせにおいて実装されうる。プロセッサによって実行されるソフトウェアで実装される場合には、機能は、コンピュータ可読媒体上で１つまたは複数の命令またはコードとして格納または送信されうる。他の例および実装は、特許請求の範囲および本開示の精神および範囲内にある。例えば、ソフトウェアの本質により、上述される機能は、プロセッサによって実行されるソフトウェア、ハードウェア、ファームウェア、ハードワイヤリング、またはこれらのいずれかの組み合わせを使用して実装されることができる。機能を実装する特徴はまた、様々な位置において物理的に配置されうる、そしてそれは、機能の部分が異なる物理的な位置において実装されるように分配されることを含む。本開示全体にわたって、用語「例」または「例示的な」は、例またはインスタンスを示しており、述べられた例の優先度を意味しておらず、または要求していない。また、特許請求の範囲の請求項を含む、本明細書の中で使用されるように、「のうちの少なくとも１つ」で始まる項目のリストで使用される「または(or)」は、選言的なリスト(disjunctive list)を示し、例えば「Ａ，ＢまたはＣのうちの少なくとも１つ」のリストは、ＡまたはＢまたはＣまたはＡＢまたはＡＣまたはＢＣまたはＡＢＣ（すなわち、ＡおよびＢおよびＣ）を意味する。
【００７３】
コンピュータ可読媒体は、１つの場所から別の場所へとコンピュータプログラムの移送を容易にするいずれの媒体をも含む、コンピュータ記憶媒体と通信媒体の両方を含む。記憶媒体は、汎用または専用コンピュータによってアクセスされることができるいずれの利用可能な媒体でありうる。例として、また限定されないが、コンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータ構造の形で所望のプログラムコード手段を搬送または記憶するために使用されることができる、また、汎用または専用コンピュータ、または、汎用または専用プロセッサによってアクセスされることができる、任意の他の媒体も備えることができる。また、いずれの接続もコンピュータ可読媒体と適切に名づけられる。例えば、ソフトウェアがウェブサイト、サーバ、あるいは、同軸ケーブル、光ファイバーケーブル、ツイストペア、デジタル加入者ライン（ＤＳＬ）を使用している他の遠隔ソース、から送信される場合には、同軸ケーブル、光ファイバーケーブル、ツイストペア、ＤＳＬは、媒体の定義に含まれている。ここで使用される、ディスク(Disk）とディスク(disc)は、コンパクトディスク（ＣＤ）、レーザディスク、光学ディスク、デジタルバーサタイルディスク（ＤＶＤ）、フロッピー（登録商標）ディスク、およびブルーレイディスクを含み、ディスク（Disk）は通常データを磁気的に再生し、ディスク（disc）は、レーザで光学的に再生する。上記の組み合わせはまた、コンピュータ可読媒体の範囲内に含まれる。
【００７４】
本開示の説明は、当業者が本開示を行なうまたは使用することを可能にするために提供される。本開示に対する様々な変更は、当業者にとって容易に明らかであろう、また、ここで定義される一般的な原理は、本開示の範囲または精神から逸脱することなく他の変更に適用されうる。したがって、本開示は、ここで説明される例および設計に限定されるべきではないが、ここで開示される原理および新規の特徴と一致して幅広い範囲が与えられるべきである。
【００７５】
いくつかの実施形態を説明して、様々な変更、代替の構成、および同等物が、本発明の精神から逸脱することなく使用されうるということが当業者によって理解されるであろう。例えば、上記エレメントは、大きなシステムのコンポーネントにすぎず、他のルールは、優位を取ることがあり、または、そうでない場合には、本発明のアプリケーションを変更しうる。また、多数のステップが、上記エレメントが考慮された後、その間、その前に実行されうる。したがって、上述の説明は、本発明の範囲を限定するものとしてとらえられるべきではない。
なお、以下に、出願当初の特許請求の範囲に記載された発明を付記する。
［Ｃ１］モバイルデバイスから電力ヘッドルームを報告する方法であって、前記方法は、
前記モバイルデバイスが同時に送信するように構成される、複数の独立して電力制御されたチャネルの各々と関連づけられた送信電力を識別することと、
前記識別された送信電力を蓄積することと、
前記蓄積された送信電力を使用して前記モバイルデバイスに利用可能な電力ヘッドルームを計算することと、
前記モバイルデバイスに利用可能な前記計算された電力ヘッドルームを備えているヘッドルーム報告を送信することと、
を備える、
方法。
［Ｃ２］前記複数の独立して電力制御されたチャネルは、
アップリンク制御チャネルを備えている第１のチャネルと、
アップリンク共有チャネルを備えている第２のチャネルと、
を備える、Ｃ１に記載の方法。
［Ｃ３］前記第１のチャネルの前記識別された送信電力は、仮想送信電力を備え、
前記第２の送信電力の前記識別された送信電力は、実際の送信についての測定された送信電力を備える、
Ｃ２に記載の方法。
［Ｃ４］前記第１のチャネルは、物理アップリンク制御チャネル（ＰＵＣＣＨ）を備え、
前記第２のチャネルは、物理アップリンク共有チャネル（ＰＵＳＣＨ）を備え、
前記ＰＵＣＣＨおよびＰＵＳＣＨは、異なるキャリア上で同時に送信される、
Ｃ２に記載の方法。
［Ｃ５］前記複数の独立して電力制御されたチャネルの１つまたは複数の前記識別された送信電力は仮想送信電力を備える、Ｃ１に記載の方法。
［Ｃ６］前記電力ヘッドルームを計算することにおいてアップリンク制御チャネル送信と関連づけられた変化を無視することによって前記仮想送信電力を決定すること、
をさらに備えるＣ５に記載の方法。
［Ｃ７］複数の独立して電力制御されたチャネルの各々と関連づけられた送信電力を識別することは、
第１の送信電力を識別するために、第１の独立して電力制御されたチャネルについて第１の時間期間中に送信電力を決定することと；
第２の送信電力を識別するために、仮想送信電力を第２の独立して電力制御されたチャネルにアトリビュートすることと、なお、前記モバイルデバイスは、前記第１の時間期間中に前記第２の独立して電力制御されたチャネル上で送信しない；
を備える、Ｃ１に記載の方法。
［Ｃ８］前記複数の独立して電力制御されたチャネルの各々は、マルチキャリアシステムの異なるキャリア上で送信されうる、Ｃ１に記載の方法。
［Ｃ９］前記複数の独立して電力制御されたチャネルは、単一キャリアに割り付けられる、Ｃ１に記載の方法。
［Ｃ１０］電力ヘッドルームを報告するためのデバイスであって、前記デバイスは、
モバイルデバイスが同時に送信するように構成される、複数の独立して電力制御されたチャネルの各々と関連づけられた送信電力を識別するように構成された測定モジュールと、
前記識別された送信電力を加算するように、
前記加算された送信電力を使用して前記モバイルデバイスに利用可能な電力ヘッドルームを計算するように、
構成された電力ヘッドルーム計算モジュールと、
前記モバイルデバイスに利用可能な前記計算された電力ヘッドルームを備えるヘッドルーム報告を送信するように構成された送信機と、
を備える、
デバイス。
［Ｃ１１］前記複数の独立して電力制御されたチャネルは、
アップリンク制御チャネルを備えている第１のチャネルと、
アップリンク共有チャネルを備えている第２のチャネルと、
を備える、Ｃ１０に記載のデバイス。
［Ｃ１２］前記第１のチャネルの前記識別された送信電力は、仮想送信電力を備え、
前記第２の送信電力の前記識別された送信電力は、実際の送信についての測定された送信電力を備える、Ｃ１１に記載のデバイス。
［Ｃ１３］前記第１のチャネルは、物理アップリンク制御チャネル（ＰＵＣＣＨ）を備え、
前記第２のチャネルは、物理アップリンク共有チャネル（ＰＵＳＣＨ）を備え、
前記ＰＵＣＣＨおよびＰＵＳＣＨは、異なるキャリア上で同時に送信される、Ｃ１１に記載のデバイス。
［Ｃ１４］前記複数の独立して電力制御されたチャネルの１つまたは複数の前記識別された送信電力は仮想送信電力を備える、Ｃ１０に記載のデバイス。
［Ｃ１５］前記電力ヘッドルーム計算モジュールは、前記電力ヘッドルームを計算することにおいてアップリンク制御チャネル送信と関連づけられた変化を無視することによって、前記仮想送信電力を決定するようにさらに構成される、Ｃ１４に記載のデバイス。
［Ｃ１６］複数の独立して電力制御されたチャネルの各々と関連づけられた送信電力を識別するために、前記測定モジュールは、
第１の送信電力を識別するために、第１の独立して電力制御されたチャネルについて第１の時間期間中に送信電力を決定するように；
第２の送信電力を識別するために、仮想送信電力を第２の独立して電力制御されたチャネルにアトリビュートするように、なお、前記モバイルデバイスは、前記第１の時間期間中に前記第２の独立して電力制御されたチャネル上で送信しない；
構成される、Ｃ１０に記載のデバイス。
［Ｃ１７］前記複数の独立して電力制御されたチャネルの各々は、マルチキャリアシステムの異なるアップリンクキャリア上で送信されうる、Ｃ１０に記載のデバイス。
［Ｃ１８］前記複数の独立して電力制御されたチャネルは、単一アップリンクキャリアに割り付けられる、Ｃ１０に記載のデバイス。
［Ｃ１９］前記デバイスは、プロセッサを備える、Ｃ１０に記載のデバイス。
［Ｃ２０］前記デバイスは、前記モバイルデバイスを備える、Ｃ１０に記載のデバイス。
［Ｃ２１］前記モバイルデバイスは、ロングタームエボリューション−アドバンスドシステムのユーザ機器を備える、Ｃ２０に記載のデバイス。
［Ｃ２２］モバイルデバイスから電力ヘッドルームを報告するためのコンピュータプログラムプロダクトであって、前記コンピュータプログラムプロダクトは、
ノントランジトリコンピュータ可読媒体を備え、前記ノントランジトリコンピュータ可読媒体は、
前記モバイルデバイスが同時に送信するように構成される、複数の独立して電力制御されたチャネルの各々と関連づけられた送信電力を識別するためのコードと、
前記識別された送信電力を蓄積するためのコードと、
前記蓄積された送信電力を使用して前記モバイルデバイスに利用可能な電力ヘッドルームを計算するためのコードと、
前記モバイルデバイスに利用可能な前記計算された電力ヘッドルームを備えるヘッドルーム報告を送信するためのコードと、
を備える、
コンピュータプログラムプロダクト。
［Ｃ２３］無線通信デバイスであって、
前記モバイルデバイスが同時に送信するように構成される、複数の独立して電力制御されたチャネルの各々と関連づけられた送信電力を識別するための手段と、
前記識別された送信電力を蓄積するための手段と、
前記蓄積された送信電力を使用して前記モバイルデバイスに利用可能な電力ヘッドルームを計算するための手段と、
前記モバイルデバイスに利用可能な前記計算された電力ヘッドルームを備えるヘッドルーム報告を送信するための手段と、
を備える無線通信デバイス。
［Ｃ２４］前記複数の独立して電力制御されたチャネルは、
アップリンク制御チャネルを備えている第１のチャネルと、
アップリンク共有チャネルを備えている第２のチャネルと、
を備える、Ｃ２３に記載の無線通信デバイス。
［Ｃ２５］前記第１のチャネルの前記識別された送信電力は、仮想送信電力を備え、
前記第２の送信電力の前記識別された送信電力は、実際の送信についての決定された送信電力を備える、Ｃ２４に記載の無線通信デバイス。
［Ｃ２６］前記第１のチャネルは、物理アップリンク制御チャネル（ＰＵＣＣＨ）を備え、
前記第２のチャネルは、物理アップリンク共有チャネル（ＰＵＳＣＨ）を備え、
前記ＰＵＣＣＨおよびＰＵＳＣＨは、異なるキャリア上で同時に送信される、Ｃ２４に記載の無線通信デバイス。
［Ｃ２７］前記複数の独立して電力制御されたチャネルの１つまたは複数の前記識別された送信電力は仮想送信電力を備える、Ｃ２３に記載の無線通信デバイス。
［Ｃ２８］前記仮想送信電力は、前記電力ヘッドルームを計算することにおいてアップリンク制御チャネル送信と関連づけられた変化を無視することによって決定される、Ｃ２７に記載のシステム。
［Ｃ２９］複数の独立して電力制御されたチャネルの各々に関連づけられた送信電力を識別するための手段は、
第１の送信電力を識別するために、第１の独立して電力制御されたチャネルについて第１の時間期間中に送信電力を決定するための手段と；
第２の送信電力を識別するために、仮想送信電力を第２の独立して電力制御されたチャネルにアトリビュートするための手段と、なお、前記モバイルデバイスは、前記第１の時間期間中に前記第２の独立して電力制御されたチャネル上で送信しない；
を備える、Ｃ２３に記載の無線通信デバイス。
［Ｃ３０］前記複数の独立して電力制御されたチャネルの各々は、マルチキャリアシステムの異なるキャリア上で送信されうる、Ｃ２３に記載の無線通信デバイス。
［Ｃ３１］前記複数の独立して電力制御されたチャネルは、単一キャリアに割り付けられる、Ｃ２３に記載の無線通信デバイス。
［Ｃ３２］モバイルデバイスから電力ヘッドルーム報告を受信する方法であって、前記方法は、
モバイルデバイスからアップリンク送信に利用可能な電力ヘッドルームを備えるヘッドルーム報告を受信することと、なお、前記電力ヘッドルーム報告は、前記モバイルデバイスが同時に送信するように構成される、複数の独立して電力制御されたチャネルに関連づけられた蓄積された送信電力を識別する；
前記電力ヘッドルーム報告から取得された情報に基づいてグループとして前記複数の独立して電力制御されたチャネルに関してアップリンク割り付けをスケジュールすることと；
を備える、方法。
［Ｃ３３］前記複数の独立して電力制御されたチャネルは、
アップリンク制御チャネルを備えている第１のチャネルと、
アップリンク共有チャネルを備えている第２のチャネルと、
を備える、Ｃ３２に記載の方法。
［Ｃ３４］前記第１のチャネルの前記識別された送信電力は、仮想送信電力を備え、
前記第２の送信電力の前記識別された送信電力は、前記モバイルデバイスからの実際の送信についての測定された送信電力を備える、Ｃ３３に記載の方法。
［Ｃ３５］前記第１のチャネルは、物理アップリンク制御チャネル（ＰＵＣＣＨ）を備え、
前記第２のチャネルは、物理アップリンク共有チャネル（ＰＵＳＣＨ）を備え、
前記ＰＵＣＣＨおよびＰＵＳＣＨは、異なるキャリア上で同時に送信される、Ｃ３３に記載の方法。
［Ｃ３６］前記複数の独立して電力制御されたチャネルの１つまたは複数の前記識別された送信電力は仮想送信電力を備える、Ｃ３２に記載の方法。
［Ｃ３７］前記仮想送信電力は、前記電力ヘッドルームを計算することにおいてアップリンク制御チャネル送信と関連づけられた変化を無視することによって決定される、Ｃ３６に記載の方法。
［Ｃ３８］前記複数の独立して電力制御されたチャネルの各々の送信のためのアップリンク割り付けをスケジュールすることは、
アップリンク制御チャネルを備える第１のチャネルについてのアップリンク割り付けをスケジュールすることと、
アップリンク共有チャネルを備える第２のチャネルについてのアップリンク割り付けをスケジュールすることと、
を備える、Ｃ３２に記載の方法。
［Ｃ３９］前記第２のチャネルについての前記アップリンク割り付けは、前記第１のチャネルがスケジュールされた割り付けを有するかどうかを明らかにするために時間にわたって変動する、Ｃ３８に記載の方法。
［Ｃ４０］前記複数の独立して電力制御されたチャネルの各々は、マルチキャリアシステムの異なるアップリンクキャリア上で送信される、Ｃ３２に記載の方法。
［Ｃ４１］前記複数の独立して電力制御されたチャネルは、単一アップリンクキャリアに割り付けられる、Ｃ３２に記載の方法。
［Ｃ４２］モバイルデバイスから電力ヘッドルーム報告を受信するためのデバイスであって、前記デバイスは、
モバイルデバイスからのアップリンク送信に利用可能な電力ヘッドルームを備えるヘッドルーム報告を受信するように構成された受信機と、なお、前記電力ヘッドルーム報告は、前記モバイルデバイスが同時に送信するように構成される、複数の独立して電力制御されたチャネルに関連づけられた蓄積された送信電力を識別する；
前記電力ヘッドルーム報告から取得された情報に基づいてグループとして前記複数の独立して電力制御されたチャネルに関してアップリンク割り付けをスケジュールするように構成された割り付けモジュールと；
を備える、デバイス。
［Ｃ４３］前記複数の独立して電力制御されたチャネルは、
アップリンク制御チャネルを備えている第１のチャネルと、
アップリンク共有チャネルを備えている第２のチャネルと、
を備える、Ｃ４２に記載のデバイス。
［Ｃ４４］前記第１のチャネルの前記識別された送信電力は、仮想送信電力を備え、
前記第２の送信電力の前記識別された送信電力は、前記モバイルデバイスからの実際の送信についての決定された送信電力を備える、Ｃ４３に記載のデバイス。
［Ｃ４５］前記仮想送信電力は、前記電力ヘッドルームを計算することにおいてアップリンク制御チャネル送信と関連づけられた変化を無視することによって決定される、Ｃ４４に記載のデバイス。
［Ｃ４６］前記複数の独立して電力制御されたチャネルの各々は、マルチキャリアシステムの異なるアップリンクキャリア上で送信される、または、
前記複数の独立して電力制御されたチャネルは、単一アップリンクキャリアに割り付けられる、
Ｃ４２に記載のデバイス。
［Ｃ４７］前記デバイスは、プロセッサを備える、Ｃ４２に記載のデバイス。
［Ｃ４８］前記デバイスは、ロングタームエボリューション−アドバンスド（ＬＴＥ／Ａ）システムのｅＮｏｄｅＢを備える、Ｃ４２に記載のデバイス。
【図１】
0005507755.tif 000002
【図２】
0005507755.tif 000003
【図３】
0005507755.tif 000004
【図４Ａ】
0005507755.tif 000005
【図４Ｂ】
0005507755.tif 000006
【図５】
0005507755.tif 000007
【図６】
0005507755.tif 000008
【図７】
0005507755.tif 000009
【図８】
0005507755.tif 000010
【図９】
0005507755.tif 000011